【事件の表示】
　特願２０００−　３６１１６「スロットマシン」拒絶査定不服審判事件〔平成１３年　８月２１日出願公開、特開２００１−２２４７４７〕について、次のとおり審決する。
【結　論】
　本件審判の請求は、成り立たない。
【理　由】
第１　手続の経緯
　本願は、平成１２年２月１５日の出願であって、平成１５年１２月１日付けで拒絶の査定がされ、これに対し、平成１６年１月５日付けで拒絶査定不服審判が請求されるとともに、同年１月３０日付けで明細書についての手続補正がなされたものである。
　
第２　平成１６年１月３０日付けの手続補正についての補正の却下の決定
　
［補正の却下の決定の結論］
　平成１６年１月３０日付けの手続補正（以下、「本件補正」という。）を却下する。
　
［理由］
１．本件補正の内容
　本件補正は特許請求の範囲の補正を伴うものであり、補正後の請求項１の記載は次のとおりである。
　
「周囲に複数の図柄を表示した複数の回転リールと、
　前記回転リールの駆動を開始させるためのスタートスイッチと、
　前記回転リールの駆動を停止させるために、複数の前記回転リールに対応する複数のストップスイッチと、
　前記回転リール、前記スタートスイッチ及び前記ストップスイッチを制御すると共に、一定確率で入賞の抽選を行うための制御装置とを備え、
　前記制御装置は、入賞か否かの抽選を行う入賞抽選手段を備え、
　前記入賞抽選手段による抽選結果が前記入賞である場合に入賞フラグが成立し、前記入賞フラグ成立中に、前記回転リールが停止した状態で、予め設定した所定の方向の有効入賞ライン上に前記入賞フラグ成立中の入賞図柄が揃うことを条件に入賞が確定してメダルが払い出されるようにしたスロットマシンにおいて、
　前記入賞フラグには、前記入賞フラグが成立した遊技で入賞を確定させられない場合、前記入賞フラグ成立の権利を次の遊技へ持ち越さない前記入賞フラグを少なくとも有し、
　前記制御装置は、
　少なくとも、前記回転リールの停止操作の際、前記入賞フラグ成立中の入賞図柄を有効入賞ライン上に引き込んで停止させる引き込み設定を備え、
　前記引き込み設定は、
　回転リールの停止操作を行った後、そのまま停止させるか、或いは所定時間以内に停止可能な回転リールの円周上の引き込み可能図柄の中に、入賞フラグ成立中の入賞図柄が含まれている場合、停止するまでの時間を遅らせて、前記有効入賞ライン上に当該入賞図柄を引き込んで停止させるように設定され、
　前記入賞抽選手段は、前記入賞フラグが成立している状態で、前記引き込み設定を行うか否かの抽選を行うための引き込み設定抽選手段を備え、
　前記制御装置は、前記引き込み設定抽選手段の抽選結果に基づいて、前記引き込み設定を行うか否かを決定し、
　前記制御装置は、前記引き込み設定抽選手段による抽選結果が入賞である場合に引き込み設定入賞フラグが成立し、前記引き込み設定入賞フラグ成立中に停止操作が行われることにより前記引き込み設定が行われるように設定され、
　前記引き込み設定抽選手段の抽選による引き込み設定入賞フラグが成立した遊技で当該入賞図柄を有効入賞ライン上に揃えることができない場合、当該遊技から所定の遊技回数まで、次の遊技に引き込み設定入賞フラグ成立の権利が持ち越されるように設定されていることを特徴とするスロットマシン。」
　
２．新規事項の判断
　補正後の請求項１に係る発明に記載された「前記引き込み設定抽選手段の抽選による引き込み設定入賞フラグが成立した遊技で当該入賞図柄を有効入賞ライン上に揃えることができない場合、当該遊技から所定の遊技回数まで、次の遊技に引き込み設定入賞フラグ成立の権利が持ち越されるように設定されている」という技術的事項において、「当該入賞図柄」とは、「前記入賞フラグには、前記入賞フラグが成立した遊技で入賞を確定させられない場合、前記入賞フラグ成立の権利を次の遊技へ持ち越さない前記入賞フラグを少なくとも有し、」という記載から、「前記入賞フラグが成立した遊技で入賞を確定させられない場合、前記入賞フラグ成立の権利を次の遊技へ持ち越さない前記入賞フラグ」が成立中の「入賞図柄」が想定される。
　
　ここで、願書に最初に添付した明細書（以下、添付図面を含めて「当初明細書」という。）には、段落００４８に「なお、小役の入賞フラグは、入賞フラグが成立した遊技で入賞を確定させられない場合、入賞フラグ成立の権利の次の遊技への持ち越しはない。」との記載はあるものの、引き込み設定入賞フラグ成立の権利の持ち越しに関しては、段落００８５に「上述した実施の形態において、ＢＢゲームやＲＢゲームの入賞フラグ成立の権利は、当該遊技で入賞図柄を揃えることができなかった場合、次の遊技へ持ち越されるように設定されているが、ＢＢゲームの入賞図柄の引き込み設定入賞フラグ成立の権利は、当該遊技でＢＢゲームの入賞図柄を引き込むことができなかった場合、次の遊技へ持ち越されず消失するように設定されているものである。しかし、ＢＢゲームの引き込み設定入賞フラグ成立の権利の次の遊技への持ち越しの有無は、上述したものに限定されるものではない。具体的には、当該遊技でＢＢゲームの入賞図柄を引き込むことができなかったような場合でも、引き込み設定入賞フラグ成立の権利は、次の遊技へ持ち越されるようにしても良いものである。」と記載されているのみであり、小役の入賞図柄について、「前記引き込み設定抽選手段の抽選による引き込み設定入賞フラグが成立した遊技で当該入賞図柄を有効入賞ライン上に揃えることができない場合、当該遊技から所定の遊技回数まで、次の遊技に引き込み設定入賞フラグ成立の権利が持ち越されるように設定されている」という事項が記載されていたとは認めることができない。
　
　したがって、本件補正は当初明細書に記載した事項の範囲内においてされたものではないから、特許法１７条の２第３項の規定に違反している。
　
３．独立特許要件の判断
　上記２．で説示したとおり、本件補正は新規事項を追加するものであるが、本件補正は、請求項１に記載した発明を特定する事項である「入賞フラグ」について「前記入賞フラグには、前記入賞フラグが成立した遊技で入賞を確定させられない場合、前記入賞フラグ成立の権利を次の遊技へ持ち越さない前記入賞フラグを少なくとも有し、」との限定を付加するものであるから、平成１８年改正前特許法第１７条の２第４項第２号の特許請求の範囲の減縮を目的とするものに該当するとした場合の検討、すなわち、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）についての検討を以下において行う。
　
　なお、本願補正発明の「前記引き込み設定抽選手段の抽選による引き込み設定入賞フラグが成立した遊技で当該入賞図柄を有効入賞ライン上に揃えることができない場合、当該遊技から所定の遊技回数まで、次の遊技に引き込み設定入賞フラグ成立の権利が持ち越されるように設定されている」という技術的事項において、「当該入賞図柄」が何を意味するのかが明確でない。ここで、発明の詳細な説明を参酌すると、段落００８５に「上述した実施の形態において、ＢＢゲームやＲＢゲームの入賞フラグ成立の権利は、当該遊技で入賞図柄を揃えることができなかった場合、次の遊技へ持ち越されるように設定されているが、ＢＢゲームの入賞図柄の引き込み設定入賞フラグ成立の権利は、当該遊技でＢＢゲームの入賞図柄を引き込むことができなかった場合、次の遊技へ持ち越されず消失するように設定されているものである。しかし、ＢＢゲームの引き込み設定入賞フラグ成立の権利の次の遊技への持ち越しの有無は、上述したものに限定されるものではない。具体的には、当該遊技でＢＢゲームの入賞図柄を引き込むことができなかったような場合でも、引き込み設定入賞フラグ成立の権利は、次の遊技へ持ち越されるようにしても良いものである。」と記載されているから、「次の遊技に引き込み設定入賞フラグ成立の権利が持ち越されるように設定されている」ときの「揃えることができない」入賞図柄は、「ＢＢゲームの入賞図柄」であると解釈する。そして、「ＢＢゲームの入賞図柄」は、技術常識や段落００８５の記載から、「ＢＢゲームの入賞フラグ成立の権利は、当該遊技で入賞図柄を揃えることができなかった場合、次の遊技へ持ち越されるように設定されている」ものであると認められる。
　
（１）引用刊行物の記載事項
（１−１）引用例１
　原査定の拒絶の理由に引用された、本願の出願前に日本国内において頒布された刊行物である特開平９−３１３６７０号公報（以下、「引用例１」という。）には、図面とともに以下の事項が記載されている。
　
【００２３】
【実施例】図１は、この発明が実施されたスロットマシンの外観を示す。スロットマシンの機体は、ボックス形状の機械本体部の前面に扉部１を開閉可能に取り付けて構成されており、前記扉部１の前面には、リール表示窓３，メダル投入口５，始動レバー６，３個の停止釦スイッチ７ａ，７ｂ，７ｃ，メダル放出口１０，メダル受皿１１などが設けられている。
　
【００２４】前記機械本体部の内部には、リール表示窓３の位置に合わせて、３個のリール２ａ，２ｂ，２ｃが、各リール２ａ，２ｂ，２ｃの周面を前記リール表示窓３に臨ませるようにして、組み込んである。各リール２ａ，２ｂ，２ｃの周面にはそれぞれ、特別入賞に関わる大当たりのシンボル、その他の入賞に関わる複数種の当たりのシンボル、入賞に関わらないその他のシンボルが複数描かれると共に、引込制御機能の解除に関わる特定のシンボルが描かれており、リール停止時、リール表示窓３に各リールの３駒分の図柄が現れるようになっている。
　
【００２６】図中、メダル投入口５はメダルを投入するための部分、始動レバー６は３個のリール２ａ，２ｂ，２ｃを一斉に始動させるためのもの、停止釦スイッチ７ａ，７ｂ，７ｃは、それぞれ対応するリール２ａ，２ｂ，２ｃを個別に停止させるためのものである。
　
【００２８】このスロットマシンでは、メダル投入口５へのメダルの投入またはメダル投入スイッチ８の操作により対応する停止ラインを有効化させた後、始動レバー６の操作により全リール２ａ，２ｂ，２ｃを一斉に始動させるように設定されており、通常は、リール始動後に、内部抽選が行われて、有効化されたいずれかの停止ライン（以下単に「有効ライン」という）上に、入賞にかかるシンボルの組合せを成立させるか否かが決定される。これにより停止釦スイッチ７ａ，７ｂ，７ｃが押操作されると、前記内部抽選の結果に基づいて、有効化された停止ライン上に強制停止させるシンボルが決定され、各リール２ａ，２ｂ，２ｃの停止動作を制御する引込制御が行われる。
　
【００３２】図２は、前記引込解除ゲームとして設定される各種の態様を示すもので、停止操作の順序に応じて、操作された停止釦スイッチに対応するリールの引込制御を行うか否かが表されている（図中、×印はその欄のリールの引込制御機能を解除することを、○印はその欄のリールの引込制御機能を維持することを、それぞれ意味する）。
　
【００３３】例えば、第１のゲーム態様は、すべてのリール２ａ，２ｂ，２ｃについての引込制御機能を解除することを示す。また第２のゲーム態様では、第１，第２番目に操作された停止釦スイッチに対応するリールについての引込制御機能を解除し、最後に操作された停止釦スイッチに対応するリールについては、引込制御を行うように設定される。なおいずれの態様においても、熟練者によりボーナスゲームが頻発することがないように、引込解除時においても、有効ライン上にボーナスゲームにかかるシンボルが停止するタイミングで停止操作が行われたときのみ、このシンボルが有効ライン上からはずれるような引込制御が行われている。
　
【００３５】図３は、上記のスロットマシンの電気的な構成を示す。図中、２０はＣＰＵ２１を制御主体とする制御部であり、プログラムや固定データが格納されるＲＯＭ２２と、データの読み書きに用いられるＲＡＭ２３とを備えている。
　
【００３６】前記ＣＰＵ２１には、バス３０を介して、預け枚数表示器４，引込解除表示部１２，始動レバー６，３個の停止釦スイッチ７ａ，７ｂ，７ｃ，メダル投入スイッチ８，精算スイッチ９，コイン検知センサ２７，リール駆動部２４，ホッパ駆動部２５，発音部２６などが接続されている。また引込制御機能が解除されたゲームを実行できる状態を時間で管理する場合には、さらにタイマ２８または時計２９が接続される。前記ＣＰＵ２１は、ＲＯＭ２２に格納されたプログラムに従ってＲＡＭ２３に対するデータの読み書きを行いつつ、前記入出力装置の動作を一連に制御するほか、内部で発生させた乱数値を用いて、引込制御にかかる抽選処理を実行する。
　
【００６４】図７は、ＣＰＵ２１により引込制御機能の解除にかかる内部抽選を行わせ、この抽選が当たったとき、そのゲームについて、前記第１の態様の引込解除ゲームを設定するようにした場合の制御手順を示す。
　
【００６５】まずステップ１〜４で前記図４と同様の手順が実行されて各リール２ａ，２ｂ，２ｃが始動すると、ＣＰＵ２１は、つぎのステップ５で、内部抽選を実行する。この実施例では、通常の引込制御にかかる抽選のほかに、引込解除ゲームにかかる抽選が行われており、ステップ６で、いずれか停止釦スイッチが操作されたとき、引込解除ゲームにかかる抽選が当たっている場合は、ＣＰＵ２１は、対応するリールを停止釦スイッチの操作タイミングに応じて停止させる（ステップ７，９）。一方、引込解除ゲームにかかる抽選がはずれた場合には、ステップ７が「ＮＯ」となり、操作された停止釦スイッチに対応するリールは、引込制御にかかる抽選結果に応じた停止制御を受ける。
　
【００６６】上記の手順が繰り返し行われてすべてのリール２ａ，２ｂ，２ｃが停止するとステップ１０が「ＹＥＳ」となり、ＣＰＵ２１は、前記した各実施例と同様、有効ライン上に成立したシンボルの組合せを判別し、その判別結果に応じてメダル配当などの処理を実行する（ステップ１１〜１５）。ステップ１６〜１８のボーナスゲームにかかる手順は、前記各実施例と同様であり、ここでは詳細な説明を省略する。
　
【００６７】なお上記図７の実施例では、引込解除ゲームにかかる抽選が当たったとき、そのゲームに限り、各リールの引込制御機能を解除するようにしているが、これに限らず、以後の所定回数のゲームにおいて、または以後の所定の時間において、引込制御機能を解除するよう構成してもよい。さらに上記図４〜７の各実施例では、いずれも引込解除ゲームとしてすべてのリールの引込制御機能を解除させる第１のゲーム態様を実行するようにしているが、これに限らず、第２〜６のいずれかのゲーム態様を設定するようにしても良い。
　
　前記摘示の記載及び図面によれば、引用例には、以下の発明（以下、「引用発明」という。）が記載されているものと認められる。
　
「周面に複数のシンボルが描かれた３個のリール２ａ，２ｂ，２ｃと、
　３個のリール２ａ，２ｂ，２ｃを一斉に始動させるための始動レバー６と、
　対応するリール２ａ，２ｂ，２ｃを個別に停止させるための３個の停止釦スイッチ７ａ，７ｂ，７ｃと、
　始動レバー６、３個の停止釦スイッチ７ａ，７ｂ，７ｃ、リール駆動部２４などが接続されていると共に、内部で発生させた乱数値を用いて、引込制御にかかる内部抽選を実行する制御部２０とを備え、
　有効ライン上に入賞にかかるシンボルの組み合わせが成立していることが判別されたとき、所定枚数のメダルの配当を行うようにしたスロットマシンにおいて、
　停止釦スイッチ７ａ，７ｂ，７ｃが押操作されると、前記内部抽選の結果に基づいて、有効ライン上に強制停止させるシンボルが決定され、各リール２ａ，２ｂ，２ｃの停止動作を制御する引込制御が行われ、
　通常の引込制御にかかる抽選のほかに、引込解除ゲームにかかる抽選が行われ、前記引込解除ゲームにかかる抽選が当たったとき、第１，第２番目に操作された停止釦スイッチに対応するリールについての引込制御機能を解除し、最後に操作された停止釦スイッチに対応するリールについては、引込制御を行う第２のゲーム態様を設定するスロットマシン。」
　
（１−２）引用例２
　原査定の拒絶の理由に引用された、本願の出願前に日本国内において頒布された刊行物である登録実用新案３０６０１５９号公報（以下、「引用例２」という。）には、図面とともに以下の事項が記載されている。
　
　　　【００４１】
　内部当り設定手段は、内部当り条件を達成したか否かを判定し、内部当り条件を達成した場合は、例えばその内部当り条件に該当するフラグをセットすることにより内部当り状態を設定するものとすることができる。
　
　　　【００４２】
　……内部当り状態は、例えば１回のゲームが終われば解除されるものとすることもでき、内部当りとなった賞に入賞するまで継続するものとすることもでき、回数や時間やその他の条件によって定まる所定期間内のみ継続するものとすることもできる。
　
（２）対比
　本願補正発明と引用発明とを対比すると、引用発明の「周面に複数のシンボルが描かれた３個のリール２ａ，２ｂ，２ｃ」は本願補正発明の「周囲に複数の図柄を表示した複数の回転リール」に相当する。以下、同様に、「３個のリール２ａ，２ｂ，２ｃを一斉に始動させるための始動レバー６」は「前記回転リールの駆動を開始させるためのスタートスイッチ」に、「対応するリール２ａ，２ｂ，２ｃを個別に停止させるための３個の停止釦スイッチ７ａ，７ｂ，７ｃ」は「前記回転リールの駆動を停止させるために、複数の前記回転リールに対応する複数のストップスイッチ」に、「引込制御にかかる内部抽選」は「入賞の抽選」に、「有効ライン」は「予め設定した所定の方向の有効入賞ライン」に、「入賞にかかるシンボルの組み合わせ」は「入賞図柄」に、「引込制御機能」は「引き込み設定」に、「引込解除ゲームにかかる抽選」は「引き込み設定を行うか否かの抽選」に、それぞれ相当する。
　
　また、引用発明の「制御部２０」は、「始動レバー６、３個の停止釦スイッチ７ａ，７ｂ，７ｃ、リール駆動部２４などが接続されている」制御部であるから、「前記回転リール、前記スタートスイッチ及び前記ストップスイッチを制御する」ものであると認められる。さらに、「制御部２０」は「内部で発生させた乱数値を用いて、引込制御にかかる内部抽選を実行する」ものであり、スロットマシンの内部抽選では一定確率で入賞の抽選を行うことは技術常識であるから、引用発明の「制御部２０」は「一定確率で入賞の抽選を行うための制御装置」であり、当然に「入賞か否かの抽選を行う入賞抽選手段を備え」るものであると言える。
　
　引用発明は、「有効ライン上に入賞にかかるシンボルの組み合わせが成立していることが判別されたとき、所定枚数のメダルの配当を行う」ものであり、当該判別は回転リールが停止した状態で行われることは自明であるから、引用発明は、「回転リールが停止した状態で、予め設定した所定の方向の有効入賞ライン上に入賞図柄が揃うことを条件に入賞が確定してメダルが払い出される」ものであると言える。また、スロットマシンにおいて、内部抽選で当選したときには入賞フラグが成立し、入賞フラグ成立中の入賞図柄のみが有効ライン上に揃うことは当業者にとって自明である（例えば、引用例２の記載を参照）。したがって、引用発明は、「前記入賞抽選手段による抽選結果が前記入賞である場合に入賞フラグが成立し、前記入賞フラグ成立中に、前記回転リールが停止した状態で、予め設定した所定の方向の有効入賞ライン上に前記入賞フラグ成立中の入賞図柄が揃うことを条件に入賞が確定してメダルが払い出される」ものであると言える。
　
　引用発明は、「停止釦スイッチ７ａ，７ｂ，７ｃが押操作されると、前記内部抽選の結果に基づいて、有効ライン上に強制停止させるシンボルが決定され、各リール２ａ，２ｂ，２ｃの停止動作を制御する引込制御が行われ」るものである。ここで、スロットマシンにおいては、内部抽選で当選したときには入賞フラグが成立し、入賞フラグが成立しているシンボルを有効ライン上に強制停止させるように引込制御が行われることは自明である。したがって、引用発明において、「前記制御装置は、少なくとも、前記回転リールの停止操作の際、前記入賞フラグ成立中の入賞図柄を有効入賞ライン上に引き込んで停止させる引き込み設定を備え」ると言える。
　
　引用発明における「引込制御機能」によって、「回転リールの停止操作を行った後、そのまま停止させるか、或いは所定時間以内に停止可能な回転リールの円周上の引き込み可能図柄の中に、入賞フラグ成立中の入賞図柄が含まれている場合、停止するまでの時間を遅らせて、前記有効入賞ライン上に当該入賞図柄を引き込んで停止させるように設定され」ることは、当業者にとって自明である。
　
　引用発明は、「通常の引込制御にかかる抽選のほかに、引込解除ゲームにかかる抽選が行われ」るものであるから、前者の抽選によって「入賞フラグが成立している状態」でも、「引込解除ゲームにかかる抽選」が行われると言える。また、引き込みの解除と引き込みの設定とは裏表の関係にあるから、引用発明は、実質的に「前記引き込み設定を行うか否かの抽選を行うための引き込み設定抽選手段を備え」ると言える。したがって、引用発明は、「前記入賞抽選手段は、前記入賞フラグが成立している状態で、前記引き込み設定を行うか否かの抽選を行うための引き込み設定抽選手段を備え」るものであると認められる。
　
　引用発明は、「前記引込解除ゲームにかかる抽選が当たったとき、第１，第２番目に操作された停止釦スイッチに対応するリールについての引込制御機能を解除」するものであるから、「引込制御機能の解除」とは逆の「引込制御機能の設定」という観点から言えば、引込制御機能の設定にかかる内部抽選に入賞したとき、第１，第２番目に操作された停止釦スイッチに対応するリールについての引込制御機能を設定するものであると言える。したがって、引用発明は、「前記制御装置は、前記引き込み設定抽選手段の抽選結果に基づいて、前記引き込み設定を行うか否かを決定し、前記制御装置は、前記引き込み設定抽選手段による抽選結果が入賞である場合に、停止操作が行われることにより前記引き込み設定が行われるように設定され」る点で共通するものであると言える。
　
　そうすると、本願補正発明と引用発明の両者は、以下の点でそれぞれ、一致並びに相違するものと認められる。
　
　一致点
　
「周囲に複数の図柄を表示した複数の回転リールと、
　前記回転リールの駆動を開始させるためのスタートスイッチと、
　前記回転リールの駆動を停止させるために、複数の前記回転リールに対応する複数のストップスイッチと、
　前記回転リール、前記スタートスイッチ及び前記ストップスイッチを制御すると共に、一定確率で入賞の抽選を行うための制御装置とを備え、
　前記制御装置は、入賞か否かの抽選を行う入賞抽選手段を備え、
　前記入賞抽選手段による抽選結果が前記入賞である場合に入賞フラグが成立し、前記入賞フラグ成立中に、前記回転リールが停止した状態で、予め設定した所定の方向の有効入賞ライン上に前記入賞フラグ成立中の入賞図柄が揃うことを条件に入賞が確定してメダルが払い出されるようにしたスロットマシンにおいて、
　前記制御装置は、
　少なくとも、前記回転リールの停止操作の際、前記入賞フラグ成立中の入賞図柄を有効入賞ライン上に引き込んで停止させる引き込み設定を備え、
　前記引き込み設定は、
　回転リールの停止操作を行った後、そのまま停止させるか、或いは所定時間以内に停止可能な回転リールの円周上の引き込み可能図柄の中に、入賞フラグ成立中の入賞図柄が含まれている場合、停止するまでの時間を遅らせて、前記有効入賞ライン上に当該入賞図柄を引き込んで停止させるように設定され、
　前記入賞抽選手段は、前記入賞フラグが成立している状態で、前記引き込み設定を行うか否かの抽選を行うための引き込み設定抽選手段を備え、
　前記制御装置は、前記引き込み設定抽選手段の抽選結果に基づいて、前記引き込み設定を行うか否かを決定し、
　前記制御装置は、前記引き込み設定抽選手段による抽選結果が入賞である場合に、停止操作が行われることにより前記引き込み設定が行われるように設定されるスロットマシン。」
である点。
　
　相違点１
　本願補正発明では、「前記入賞フラグには、前記入賞フラグが成立した遊技で入賞を確定させられない場合、前記入賞フラグ成立の権利を次の遊技へ持ち越さない前記入賞フラグを少なくとも有」するのに対し、引用発明では、そのように構成されているかが明らかでない点。
　
　相違点２
　本願補正発明では、「前記制御装置は、前記引き込み設定抽選手段による抽選結果が入賞である場合に引き込み設定入賞フラグが成立し、前記引き込み設定入賞フラグ成立中に停止操作が行われることにより前記引き込み設定が行われるように設定され」、さらに、「前記引き込み設定抽選手段の抽選による引き込み設定入賞フラグが成立した遊技で当該入賞図柄を有効入賞ライン上に揃えることができない場合、当該遊技から所定の遊技回数まで、次の遊技に引き込み設定入賞フラグ成立の権利が持ち越されるように設定されている」のに対し、引用発明では、引き込み設定入賞フラグが成立するか否かが明らかでなく、さらに所定の場合に、引き込み設定入賞フラグ成立の権利が、当該遊技から所定の遊技回数まで、持ち越されるようには設定されていない点。
　
（３）判断
　相違点１について
　スロットマシンの分野において、入賞フラグが成立した遊技で入賞を確定させられない場合、前記入賞フラグ成立の権利を次の遊技へ持ち越さない前記入賞フラグを有することは、周知技術である（例えば、特開平１１−２９０５０２号公報［段落００５３乃至００５４］、登録実用新案第３０６２６１２号公報［第２６頁第２０行乃至第２３行］を参照）。したがって、引用発明において、入賞フラグが成立した遊技で入賞を確定させられない場合、前記入賞フラグ成立の権利を次の遊技へ持ち越さない前記入賞フラグを有するようになすことは、当業者が容易に想到できたものである。
　
　相違点２について
　スロットマシンの分野においては、入賞が可能な状態をフラグによって設定すること、及び、入賞が可能となった状態で入賞図柄を揃えることができなかった場合には、入賞が可能な状態から全く入賞が不可能な状態に変化してしまうと遊技者にとって大きな不利益が生じるから、入賞が可能な状態を持ち越すようにすることが、いずれも周知である（相違点１において示した周知例を参照）。また、引用例２には、入賞が可能な内部当り状態を、回数によって定まる所定期間内のみ継続させることが記載されている。上記周知技術及び引用例２に記載された技術を考慮すれば、引用発明において、通常の引込制御にかかる抽選に当選し、引込解除ゲームにかかる抽選で引込制御が実行されるという、入賞が可能な状態になったことをフラグの成立によって設定すること、また、そのような状態にもかかわらず、当該入賞図柄を揃えることができなかった場合に、遊技者に大きな不利益が生じないように、その状態を回数によって定まる所定期間のみ継続させるようにすることは、いずれも当業者が容易に想起できたものである。してみれば、引用発明において、「前記制御装置は、前記引き込み設定抽選手段による抽選結果が入賞である場合に引き込み設定入賞フラグが成立し、前記引き込み設定入賞フラグ成立中に停止操作が行われることにより前記引き込み設定が行われるように設定され」、さらに、「前記引き込み設定抽選手段の抽選による引き込み設定入賞フラグが成立した遊技で当該入賞図柄を有効入賞ライン上に揃えることができない場合、当該遊技から所定の遊技回数まで、次の遊技に引き込み設定入賞フラグ成立の権利が持ち越されるように設定されている」ようになすことは、当業者が容易に想到できたものである。
　
　そして本願補正発明の作用効果も、引用発明、引用例２に記載された技術及び周知技術から、当業者が予測できる範囲のものである。
　
　したがって、本願補正発明は、引用発明、引用例２に記載された技術及び周知技術に基づいて、当業者が容易に発明をすることができたものであるから、特許法２９条２項の規定により特許出願の際独立して特許を受けることができないものである。
　
４．補正の却下の決定のむすび
　以上のとおり、本件補正は、平成１８年改正前特許法第１７条の２第３項の規定に違反するか、同法第１７条の２第５項で準用する同法第１２６条第５項の規定に違反するので、同法第１５９条第１項の規定において読み替えて準用する同法第５３条第１項の規定により却下すべきものである。
　
第３　本願発明について
１．本願発明
　平成１６年１月３０日付けの手続補正は上記のとおり却下されたので、本願の請求項１に係る発明（以下、「本願発明」という。）は、平成１５年１０月２４日付けの手続補正書の特許請求の範囲の請求項１に記載された事項により特定される、以下のとおりのものである。
　
「周囲に複数の図柄を表示した複数の回転リールと、
　前記回転リールの駆動を開始させるためのスタートスイッチと、
　前記回転リールの駆動を停止させるために、複数の前記回転リールに対応する複数のストップスイッチと、
　前記回転リール、前記スタートスイッチ及び前記ストップスイッチを制御すると共に、一定確率で入賞の抽選を行うための制御装置とを備え、
　前記制御装置は、入賞か否かの抽選を行う入賞抽選手段を備え、
　前記入賞抽選手段による抽選結果が前記入賞である場合に入賞フラグが成立し、前記入賞フラグ成立中に、前記回転リールが停止した状態で、予め設定した所定の方向の有効入賞ライン上に前記入賞フラグ成立中の入賞図柄が揃うことを条件に入賞が確定してメダルが払い出されるようにしたスロットマシンにおいて、
　前記制御装置は、
　少なくとも、前記回転リールの停止操作の際、前記入賞フラグ成立中の入賞図柄を有効入賞ライン上に引き込んで停止させる引き込み設定を備え、
　前記引き込み設定は、
　回転リールの停止操作を行った後、そのまま停止させるか、或いは所定時間以内に停止可能な回転リールの円周上の引き込み可能図柄の中に、入賞フラグ成立中の入賞図柄が含まれている場合、停止するまでの時間を遅らせて、前記有効入賞ライン上に当該入賞図柄を引き込んで停止させるように設定され、
　前記入賞抽選手段は、前記入賞フラグが成立している状態で、前記引き込み設定を行うか否かの抽選を行うための引き込み設定抽選手段を備え、
　前記制御装置は、前記引き込み設定抽選手段の抽選結果に基づいて、前記引き込み設定を行うか否かを決定し、
　前記制御装置は、前記引き込み設定抽選手段による抽選結果が入賞である場合に引き込み設定入賞フラグが成立し、前記引き込み設定入賞フラグ成立中に停止操作が行われることにより前記引き込み設定が行われるように設定され、
　前記引き込み設定抽選手段の抽選による引き込み設定入賞フラグが成立した遊技で当該入賞図柄を有効入賞ライン上に揃えることができない場合、当該遊技から所定の遊技回数まで、次の遊技に引き込み設定入賞フラグ成立の権利が持ち越されるように設定されていることを特徴とするスロットマシン。」
　
　なお、本願発明の「前記引き込み設定抽選手段の抽選による引き込み設定入賞フラグが成立した遊技で当該入賞図柄を有効入賞ライン上に揃えることができない場合、当該遊技から所定の遊技回数まで、次の遊技に引き込み設定入賞フラグ成立の権利が持ち越されるように設定されている」という技術的事項において、「当該入賞図柄」が何を意味するのかが明確でないから、本願補正発明と同様に解釈する。
　
２．引用例
　原査定の拒絶の理由において引用された引用例、及びその記載事項は、前記第２［理由］３．（１）に記載したとおりである。
　
３．対比・判断
　本願発明は、前記第２［理由］３．で検討した本願補正発明から、「入賞フラグ」の限定事項である「前記入賞フラグには、前記入賞フラグが成立した遊技で入賞を確定させられない場合、前記入賞フラグ成立の権利を次の遊技へ持ち越さない前記入賞フラグを少なくとも有し、」との構成を省いたものである。
　そうすると、本願発明の構成要件をすべて含み、さらに他の構成要件を付加したものに相当する本願補正発明が、前記第２［理由］３．（３）に記載したとおり、引用発明、引用例２に記載された技術及び周知技術に基づいて、当業者が容易に発明をすることができたものであるから、本願発明も同様の理由により、引用発明、引用例２に記載された技術及び周知技術に基づいて、当業者が容易に発明をすることができたものである。
　
第４　むすび
　本件補正は却下されなければならず、本願発明が特許を受けることができないから、他の請求項に係る発明について検討するまでもなく、本願は拒絶されるべきものである。
　
　よって、結論のとおり審決する。